(57)【要約】【課題】本発明の課題は、個々の利用者の要求に応じ、快適性及び操作性に優れた局所空調を実現することにある。【解決手段】空調機の各室内機を制御して局所空調を行う空調制御システムであって、位置情報入力手段１１と、制御情報生成手段３１と、制御手段３２とを備える。位置情報入力手段１１は、室内機に対する利用者の位置情報を入力する。制御手段３２は、制御情報に基づき、室内機を制御する。【選択図】図１
2008116061.tif 000002
【特許請求の範囲】
【請求項１】
空調機の各室内機を制御して局所空調を行う空調制御システムであって、
前記室内機に対する前記利用者の位置情報を入力する位置情報入力手段（１１，２１１，３１１）と、
前記位置情報に基づき、前記室内機の制御情報を生成する制御情報生成手段（３１，２３１，３３１）と、
前記制御情報に基づき、前記室内機を制御する制御手段（３２，２３２，３３２）と、
を備えてなる、
空調制御システム。
【請求項２】
前記位置情報は、少なくとも前記室内機と前記利用者との距離を示す情報を含む、
請求項１に記載の空調制御システム。
【請求項３】
前記位置情報は、前記室内機に対する前記利用者の向きを示す情報を含む、
請求項１又は２に記載の空調制御システム。
【請求項４】
前記位置情報及び前記制御情報に固有のＩＤ情報を対応付けて登録する制御情報登録部（３５，２３５，３３５）と、
前記ＩＤ情報を受け付けるＩＤ情報入力手段（１１，２１１，３１１）と、
を更に備え、
前記制御手段（３２，２３２，３３２）は、前記制御情報登録部から前記ＩＤ情報に対応する前記制御情報を取得する、
請求項１に記載の空調制御システム。
【請求項５】
前記利用者の位置周辺にある前記室内機は複数有り、
前記制御情報生成手段（３１，２３１，３３１）は、前記位置情報から前記利用者の後方位置にあって最も近い距離にある室内機を選択し、
前記制御手段（３２，２３２，３３２）は、選択した前記室内機を制御する、
請求項２に記載の空調制御システム。
【請求項６】
前記制御情報は、前記室内機の吹出口の上下左右の風向の補正及び風量の増減のうち少なくとも一つを含む、
請求項１に記載の空調制御システム。
【請求項７】
前記制御情報生成手段（３１，２３１，３３１）は、各前記室内機について複数の前記利用者がある場合、予め設定された優先度に従って制御情報を生成する、
請求項５に記載の空調制御システム。
【請求項８】
空調機の各室内機を制御して局所空調を行う空調制御方法であって、
前記室内機に対する前記利用者の位置情報を入力する第１ステップと、
前記位置情報に基づき前記室内機の制御情報を生成する第２ステップと、
前記制御情報に基づき、前記室内機を制御する第３ステップと、
を備えてなる、空調制御方法。
【請求項９】
空調機の各室内機を制御して局所空調を行う空調制御を実行するためのプログラムであって、
前記室内機に対する前記利用者の位置情報を入力する第１ステップと、
前記位置情報に基づき前記室内機の制御情報を生成する第２ステップと、
前記制御情報に基づき、前記室内機を制御する第３ステップと、
をコンピュータに実行させる空調制御プログラム。
【発明の詳細な説明】
【技術分野】
【０００１】
本発明は、空調制御システム、空調制御方法及び空調制御プログラムに関し、特に室内機を制御して局所空調を行う空調制御システム、空調制御方法及び空調制御プログラムに関する。
【背景技術】
【０００２】
従来、店舗や飲食店、事務所等の比較的広い空間において、複数の室内機を配置して空調を行う場合、同空調空間内の熱負荷分布や人分布等の空調要求度を考慮することなく、室内機の各吹出口からそれぞれ均等に気流を吹き出させて空調を行っていた。このような均一空調では、空調空間内の温度ムラが生じ、ドラフト感を伴う快適性に劣る領域が存在したり、人の居ない領域においても空調したり、空調空間の熱負荷分布が季節、時間帯、在室人数等の条件によって経時的に変化するにも拘わらず常時所定条件の下で運転が行われたり等、不必要且つ無駄な空調の実行によって省エネ性が損なわれるとともに、快適性に劣るという問題があった。
【０００３】
このような問題点を改善する技術として、局所空調を行う提案が従来からなされている。例えば赤外線センサ等を用いて人体位置に対応する高輻射温度部位を検知し、同情報に基づいて均一空調から局所空調へ切り替えて空調制御を行う技術が開示されている（例えば、特許文献１参照）。
【特許文献１】特許第３８０７３０５号明細書
【発明の開示】
【発明が解決しようとする課題】
【０００４】
しかし、上記のような従来の局所空調においては、存在が検知された利用者の周囲を集中的に空調することは可能ではあるが、利用者の個々の要求に応じて室内機毎の局所空調は行えない。例えば、冷え性の女性等であって局所空調（冷房）を必要としない利用者がいる場合であってもそれを抑制できない。また、各利用者の好みに合わせて風向きや風量を調整することができない等の問題もある。更に、各利用者が各室内機の制御情報を直接入力する場合には、利用者が操作盤のところに行って、複数ある室内機から対象となる室内機を特定し、その制御情報を入力することになるため、煩雑な操作が必要となる。
【０００５】
そこで、本発明の課題は、個々の利用者の要求に応じ、快適性及び操作性に優れた局所空調を実現することにある。
【課題を解決するための手段】
【０００６】
第１発明に係る空調制御システムは、空調機の各室内機を制御して局所空調を行う空調制御システムであって、位置情報入力手段と、制御情報生成手段と、制御手段とを備えてなる。位置情報入力手段は、室内機に対する利用者の位置情報を入力する。制御情報生成手段は、位置情報に基づき室内機の制御情報を生成する。制御手段は、制御情報に基づき室内機を制御する。ここで、位置情報とは、利用者とその周辺の室内機との相対位置、距離、利用者の向き等を示す情報である。また、位置情報に基づき室内機の制御情報を生成するとは、入力された位置情報から、例えば室内機の吹出口の上下左右の風向の補正及び風量の増減等の各パラメータを決定することによって制御情報を生成することを含む。
【０００７】
これにより、個々の利用者の要求に応じた室内機の制御情報を自動生成でき、快適性及び操作性に優れた局所空調を実現することすることができる。
【０００８】
第２発明に係る空調制御システムは、第１発明の空調制御システムであって、位置情報は、少なくとも室内機と利用者との距離を示す情報を含む。
【０００９】
これにより、個々の利用者の位置に応じた局所空調を実現することができる。
【００１０】
第３発明に係る空調制御システムは、第１又は第２発明の空調制御システムであって、位置情報は、室内機に対する利用者の向きを示す情報を含む。
【００１１】
これにより、例えば、利用者の首筋に風を向けることも可能となり、個々の利用者の快適性を効率よく実現することができる。
【００１２】
第４発明に係る空調制御システムは、第１発明の空調制御システムであって、制御情報登録手段と、ＩＤ情報入力手段とを更に備える。制御情報登録手段は、位置情報及び制御情報に固有のＩＤ情報を対応付けて登録する。ＩＤ情報入力手段は、ＩＤ情報を受け付ける。更に、制御手段は、制御情報登録手段からＩＤ情報に対応する制御情報を取得する。
【００１３】
これにより、一度入力した位置情報と同位置情報に基づき生成された制御情報とを登録でき、再度入力する手間をかけずに操作を開始できるため、局所空調の操作性を向上させることができる。
【００１４】
第５発明に係る空調制御システムは、第２発明の空調制御システムであって、利用者の位置周辺にある室内機は複数有り、制御情報生成手段は、位置情報から利用者の後方位置にあって最も近い距離にある室内機を選択し、制御手段は、選択した前記室内機を制御する。
【００１５】
これにより、複数の室内機から利用者の後方位置にあって最も近い室内機を選択することができ、個々の利用者の位置に応じた効率のよい局所空調を実現することができる。
【００１６】
第６発明に係る空調制御システムは、第１発明の空調制御システムであって、制御情報は、室内機の吹出口の上下左右の風向の補正及び風量の増減のうち少なくとも一つを含む。
【００１７】
これにより、個々の利用者の要求と室内機の制御内容とが対応付けられ、快適性及び操作性に優れた局所空調を実現することにある。
【００１８】
第７発明に係る空調制御システムは、第５発明の空調制御システムであって、制御情報生成手段は、各室内機について複数の利用者がある場合、予め設定された優先度に従って制御情報を生成する。ここで、優先度とは、利用者に対していずれの室内機を選択するかの判断基準となる優先度であり、例えば、利用者の後方に位置する室内機ＡＣのうち利用者との距離がより近い位置にある室内機ＡＣが優先的に選択されるようにすること等が挙げられる。
【００１９】
これにより、一室内機に対し複数の利用者が競合した場合でも、快適な局所空調を実現することができる。
【００２０】
第８発明に係る空調制御方法は、空調機の各室内機を制御して局所空調を行う空調制御方法であって、第１ステップから第３ステップを備える。第１ステップにおいては、室内機に対する利用者の位置情報を入力する。第２ステップにおいては、位置情報に基づき室内機の制御情報を生成する。第３ステップにおいては、制御情報に基づき室内機を制御する。
【００２１】
これにより、個々の利用者の要求に応じた室内機の制御情報を自動生成でき、快適性及び操作性に優れた局所空調を実現することができる。
【００２２】
第９発明に係る空調制御プログラムは、空調機の各室内機を制御して局所空調を行う空調制御を実行するためのプログラムであって、第１から第３ステップをコンピュータに実行させる。第１ステップにおいては、室内機に対する利用者の位置情報を入力する。第２ステップにおいては、位置情報に基づき室内機の制御情報を生成する。第３ステップにおいては、制御情報に基づき室内機を制御する。
【００２３】
これにより、個々の利用者の要求に応じた室内機の制御情報を自動生成でき、快適性及び操作性に優れた局所空調を実現することができる。
【発明の効果】
【００２４】
第１発明に係る空調制御システムでは、個々の利用者の要求に応じた室内機の制御情報を自動生成でき、快適性及び操作性に優れた局所空調を実現できる。
【００２５】
第２発明に係る空調制御システムでは、個々の利用者の位置に応じた局所空調を実現することができる。
【００２６】
第３発明に係る空調制御システムでは、例えば、利用者の首筋に風を向けることも可能となり、個々の利用者の快適性を効率よく実現することができる。
【００２７】
第４発明に係る空調制御システムでは、一度入力した位置情報と同位置情報に基づき生成された制御情報とを登録でき、再度入力する手間をかけずに操作を開始できるため、局所空調の操作性を向上させることができる。
【００２８】
第５発明に係る空調制御システムでは、複数の室内機から利用者の後方位置にあって最も近い室内機を選択することができ、個々の利用者の位置に応じた効率のよい局所空調を実現することができる。
【００２９】
第６発明に係る空調制御システムでは、個々の利用者の要求と室内機の制御内容とが対応付けられ、快適性及び操作性に優れた局所空調を実現することにある。
【００３０】
第７発明に係る空調制御システムでは、一室内機に対し複数の利用者が競合した場合でも、快適な局所空調を実現することができる。
【００３１】
第８発明に係る空調制御システムでは、個々の利用者の要求に応じた室内機の制御情報を自動生成でき、快適性及び操作性に優れた局所空調を実現することができる。
【００３２】
第９発明に係る空調制御システムでは、個々の利用者の要求に応じた室内機の制御情報を自動生成でき、快適性及び操作性に優れた局所空調を実現することができる。
【発明を実施するための最良の形態】
【００３３】
≪第１実施形態≫
図１に、本発明の第１実施形態に係る空調制御システム１の全体的な構成図を示す。
【００３４】
＜空調制御システムの構成＞
図１に示すように、空調制御システム１においては、空調設備の利用者が居る建物内に構築されたＬＡＮ１０と、空調設備の管理会社等に設定され空調設備を遠隔管理するサーバ２０とがインターネット５０を介して通信可能に配されている。ＬＡＮ１０は、入力端末１１と、室内機ＡＣ及び室外機（図示省略）を含む空調機と通信可能に配され同空調機を制御するコントローラ１２とが配されている。入力端末１１及びコントローラ１２は、通信機器を介してサーバ２０と情報を送受信する。
【００３５】
入力端末１１は、携帯電話、携帯端末、ＰＣ等であり、利用者が入力画面を介して入力した位置情報をサーバ２０に送信する。サーバ２０は、位置情報から室内機ＡＣの制御情報を生成する制御情報生成部３１と、入力された位置情報と同位置情報から生成された制御情報とを登録する制御情報登録部３５と、優先度情報を保持する優先度情報保持部３６とを含む。コントローラ１２は、制御情報生成部３１からの制御情報を空調機に送信する制御指令部３２を有する。優先度情報は、周辺室内機ＡＣのうちいずれの室内機ＡＣを選択するかの判断基準となる優先度の情報であり、例えば、利用者の後方に位置する室内機ＡＣのうち利用者との距離がより近い位置にある室内機ＡＣが優先的に選択されるよう設定される。後述するように、この優先度情報を読み込むことで、例えば、利用者の後方に位置する室内機ＡＣのうち最も近い室内機が他の利用者のために制御中であれば、次に近い室内機ＡＣが選択される。
【００３６】
なお、入力端末１１、コントローラ１２及びサーバ２０においては、各部における制御動作はＣＰＵ等によって行われ、上記各情報の格納はメモリによって行われる。サーバ２０のメモリに格納された所定のプログラムに従って、後述する空調制御処理が実行される。
【００３７】
＜入力端末の入力画面表示＞
図２に示す入力端末１１の入力画面の表示例を参照しながら、利用者による位置情報の入力動作について説明する。図２に示すような入力画面を介して、利用者は位置情報を入力する。なお、位置情報とは、利用者とその周辺の室内機ＡＣとの相対位置、距離、利用者の向き等を示す情報である。
【００３８】
まず、利用者は入力端末１１からサーバ２０にアクセスとした後、図２（ａ）に示すような入力画面が表示される。物件名は制御対象となる空調設備のある建物名等であり、位置ＩＤは利用者の位置を示す固有のＩＤ情報（例えば、利用者が位置する机や椅子等に設定されたＩＤ情報）である。なお、この位置ＩＤは入力画面において示されるように「固有値入力」を選択して利用者が入力してもよいし、「自動割り振り」を選択して固有値を入力せず後述する位置情報を入力した後に自動的に割り振られるようにしてもよい。なお、この位置ＩＤとともに、物件名も「固有値入力」か「自動割り振り」を選択できるようにしてもよい。
【００３９】
物件名及び位置ＩＤは、それらの情報を予め記憶した２次元コード、１次元コード、ＲＦタグ等を入力端末で読み込むことにより自動的に入力できるようにしてもよい。なお、この場合、入力端末に設けたバーコードリーダやタグリーダーにより読み込む。これにより、物件名、位置ＩＤを入力する際の煩雑な操作を省略することができる。利用者はまた、「登録」ボタンか「操作」ボタンかを選択する。「操作」を選択した場合は操作画面に移行し（図示省略）、「登録」を選択する場合は、図２（ｂ）の画面に移行する。同（ｂ）においては、室内機ＡＣのレイアウトが表示され、該当するフロアを選択して利用者が自らの位置を視覚的に選択できる画面が提供されている。これにより利用者は自己の要求に対応する周辺の室内機ＡＣを選択できる。なお、この周辺の室内機ＡＣの選択は、利用者が積極的に選択するものであってもよいし、利用者の位置が指定されることにより自動的に周辺の室内機ＡＣが選択されてもよい。
【００４０】
次に、図２（ｃ）に示すように、利用者は選択した周辺の室内機ＡＣと自己との相対位置、距離及び向きを視覚的に入力する。なお、距離は、予め入力された隣接する室内機の距離情報と利用者の位置情報とから自動的に算出してもよいし、或いは利用者が室内機との絶対距離を入力するようにしてもよい。また、向きについては、同図に示すようにボタン入力でもよいし、端末の方位磁針機能を利用してもよい。
【００４１】
＜制御情報の生成＞
制御情報生成部３１は、上述のように入力した利用者の位置情報に対応させて制御情報生成する。例えば、利用者の向きや利用者とその周辺の室内機ＡＣとの相対位置が決定されれば、制御情報生成部３１は、制御する室内機ＡＣとして利用者の後方位置にあって最も近い室内機ＡＣを自動的に選択する。更に、制御情報生成部３１は、利用者の首筋に相当する位置に風を向けるよう選択された室内機ＡＣの吹出口の向きを上下左右に調整して風向きを調整する。また、利用者と選択された室内機ＡＣとの距離が決定されれば、制御情報生成部３１はその距離の長さに応じて風量を決定する。なお、風向の上下は吹出温度に応じて補正するよう制御してもよい。例えば、冷たい空気は早く落下するため、暖かい空気のときよりも風向を上向きに補正しておく。吹出温度は室内機ＡＣに設けられたセンサで計測してもよいし、冷媒温度から推定してもよい。
【００４２】
このようにして各制御パラメータを算出することにより制御情報を生成する。なお、制御情報生成部３１は、利用者により入力される位置情報の他に、コントローラ１２或いはサーバ２０から予め保持された建物情報（天井高さ、隣接する室内機との距離、建物の天井高さ）やデフォルトとして設定された人の首の高さ（例えば床から１１０ｃｍ）を参照しつつ、上記制御情報を生成する。
【００４３】
＜空調制御システムの処理動作＞
図３Ａ及び図３Ｂは、第１実施形態の空調制御システム１による処理の流れを示すフローチャートである。
【００４４】
まず、図３Ａに示すように、利用者は入力端末１１を介してサーバにアクセスし（Ｓ１０１ステップ）、必要な認証処理を行う（Ｓ１０２ステップ）。次いで、上述した図２（ａ）に示す初期入力画面が入力端末１１の画面に表示され（Ｓ１０３ステップ）、物件名を入力した後（Ｓ１０４ステップ）、利用者は登録か操作かを選択する（Ｓ１０５ステップ）。登録の場合、利用者は固有値である位置ＩＤを入力するかどうかを選択し（Ｓ１０６ステップ）、入力する場合は位置ＩＤを入力する（Ｓ１０７ステップ）。次に、図２（ｂ）に示すような周辺の室内機選択画面が表示され（Ｓ１０８ステップ）、利用者は周辺の室内機ＡＣを選択する（Ｓ１０９ステップ）。
【００４５】
次に、図３Ｂに示すように、位置情報入力画面（図２（ｃ）参照）が表示され（Ｓ１１２ステップ）、利用者は位置情報を入力する（Ｓ１１３ステップ）。入力された位置情報を受信した制御情報生成部３１は、優先度情報保持部３６より優先度情報を読み込み、利用者の後方位置で最も近い室内機ＡＣを制御対象として決定する（Ｓ１１４ステップ）。次に、制御情報生成部３１は、Ｓ１０７ステップにおいて位置ＩＤが入力されたかどうかを判断し（Ｓ１１５ステップ）、入力されていない場合は自動的に位置ＩＤを生成し割り振る（Ｓ１１６ステップ）。
【００４６】
次いで、制御情報生成部３１は、選択された室内機ＡＣが他の利用者のために制御中でないかどうかを、コントローラ１２又はサーバ２０に保持された情報から判断する（Ｓ１１７ステップ）。選択された室内機ＡＣが制御中である場合は、優先度情報保持部３６より優先度情報を読み込み、次に優先度の高い、即ち利用者の後方位置にあって次に近い位置にある室内機ＡＣを選択する（Ｓ１１８ステップ）。次いで、位置情報から上述したように制御対象となる室内機ＡＣに対する制御情報を生成する（Ｓ１１９ステップ）。そして、位置情報及び選択された室内機ＡＣを含む制御情報を位置ＩＤと対応させて記憶し（Ｓ１２０ステップ）。記憶された情報は制御情報登録部３５に保持される。そして、サーバ２０はコントローラ１２に生成した制御情報を送信し、コントローラ１２が制御指令を空調機に送信することによって室内機ＡＣが制御される（Ｓ１２１ステップ）。
【００４７】
図３Ａに示すように、Ｓ１０５ステップにおいて操作を選択した場合は、位置ＩＤを入力し（Ｓ１１０ステップ）、同位置ＩＤに対応する制御情報を読み出す（Ｓ１１１ステップ）。次いで、図３Ｂに示すように、読み出した制御情報において選択されている室内機ＡＣが他の利用者のために制御中でないかどうかを判断する（Ｓ１２２ステップ）。選択されている室内機ＡＣが制御中である場合は、優先度情報保持部３６より優先度情報を読み込み、次に優先度の高い、即ち利用者の後方位置にあって次に近い位置にある室内機ＡＣを選択する（Ｓ１２３ステップ）。次いで、室内機ＡＣの変更若しくは利用者より制御内容を変更する操作指示があったかどうかを判断し（Ｓ１２４ステップ）、あった場合は選択された室内機ＡＣを含む制御情報を修正し（Ｓ１２５ステップ）、室内機を制御する（Ｓ１２１ステップ）。
【００４８】
なお、操作指示とは、例えば、現利用者が風向の変更、風量の増減等を調整する操作を入力画面を介して行うことをいう。また、利用者による操作指示については、入力画面を介して「冷風」や「涼風」等の希望を入力して、選択された室内機ＡＣの風量や風向の制御（或いは運転や停止）等に反映させてもよい。
【００４９】
＜空調制御システムの処理結果＞
図４は、上記空調制御システム１の処理による室内機ＡＣの動作状態を示す図である。利用者は２番目に位置し、位置情報の入力により利用者の後方に位置する室内機ＡＣで最も近い室内機２Ｆ―２が選択された。選択された室内機２Ｆ−２は、上記処理において示したように、吹出口の上下左右の風向の補正及び風量の増減等の制御指令により制御される。
【００５０】
これにより、利用者は自己の要求に応じた局所空調が行えるため、快適性及び操作性に優れた空調が実現できる。
【００５１】
＜実施形態に係る空調制御システムの特徴＞
（１）
上記第１実施形態に係る空調制御システム１では、利用者が入力した位置情報に対応させて室内機ＡＣを選択し、その位置情報に応じた制御情報（室内機の吹出口の上下左右の風向の補正、風量の増減）を自動的に生成するため、個々の利用者の要求に応じ、快適性及び操作性に優れた局所空調を実現することすることができる。また、複数の室内機ＡＣから利用者の後方に位置し最も近い室内機を選択するため、個々の利用者の位置に応じた効率のよい局所空調を実現することができる。
【００５２】
（２）
上記第１実施形態に係る空調制御システム１では、選択された室内機ＡＣが他の利用者のための制御がかかっている途中であれば、予め設定された優先度に従って室内機ＡＣを選択し直すので、一室内機ＡＣに対し複数の利用者が競合した場合でも、快適な局所空調を実現することができる。
【００５３】
（３）
上記第１実施形態に係る空調制御システム１では、位置情報と制御情報とを登録でき、再度入力する手間をかけずに操作を開始できるため、局所空調の操作性を向上させることができる。
【００５４】
＜第１実施形態の変形例＞
（Ａ）
上記第１実施形態においては、サーバ２０は優先度情報を保持し、先に他の利用者が選択された室内機ＡＣを選択している場合は先の利用者を優先するいわゆる先押し優先としている。この場合、長時間いる利用者により後の利用者の利用が過度に制限されないように、タイマーを設けて一定時間で設定を解除するように設定してもよい。また、先押し優先の代わりに、後押し優先としてもよい。この場合、先に選択された室内機ＡＣの制御内容を次の利用者のために変更する処理を行う。
【００５５】
（Ｂ）
上記第１実施形態においては、一室内機ＡＣに対して一利用者を対応させて処理を行い、一室内機ＡＣに対し複数の利用者が競合した場合優先度に則って制御しているが、一室内機ＡＣから複数の利用者に対する制御を行えるようにしてもよい。例えば、要求のあった各利用者に対し交互に風を向けるようにスイングさせて制御にしてもよい。この場合、それぞれの利用者の制御内容を交互に実行する。或いは、要求のあった利用者全員に同時に風が当たるように、吹出し幅を広くするよう制御してもよい。
【００５６】
また、複数の室内機ＡＣから一利用者に対する制御であってもよい。
【００５７】
（Ｃ）
上記第１実施形態においては、制御情報は利用者の位置情報に基づいて自動的に生成されているが、利用者が位置情報を入力後に入力画面を介して「冷風」や「涼風」等の希望を入力して、選択された室内機ＡＣの風量や風向の制御（或いは運転や停止）等に反映させてもよい。
【００５８】
（Ｄ）
上記第１実施形態に加え、室内機ＡＣの上下左右の風向は要求する利用者が居ると思われる吹出口毎に制御するようにしてもよい。この場合、上記第１実施形態において登録された位置ＩＤに対応する室内機ＡＣの位置からいずれの吹出口前に要求する利用者が居るかを判定する。例えば、室内機間で指向性のある赤外線通信を行って各吹出口に隣接する室内機の位置関係を特定した上で、位置ＩＤに対応する室内機ＡＣの位置から判定する。
【００５９】
（Ｅ）
上記第１実施形態に加え、室内機ＡＣのＯＮ又はＯＦＦのための入力画面を別途も受けてもよい。利用者が入力画面において位置ＩＤを入力した後、制御中の室内機ＡＣをＯＦＦやＯＮにするためのボタンを押すことで、その指令が室内機ＡＣに送信されるようにする。これにより、更に多様な空調制御が可能となり、快適性及び操作性を向上させることができる。
【００６０】
≪第２実施形態≫
図５は、本発明の第２実施形態に係る空調制御システム２０１の全体的な構成図を示す。
【００６１】
＜空調制御システムの構成＞
図５に示すように、空調制御システム２０１は、空調設備の利用者が居る建物内に構築されたＬＡＮ２１０からなり、携帯電話等の入力端末２１１と、室内機ＡＣと室外機（図示省略）を含む空調機と通信可能に配され空調機を制御するコントローラ２１２とを有する。入力端末２１１とコントローラ２１２とは通信可能に配される。
【００６２】
入力端末２１１は、利用者が入力画面を介して入力した位置情報をコントローラ２１２に送信する。コントローラ２１２は、入力された位置情報から室内機ＡＣの制御情報を生成する制御情報生成部２３１と、制御情報生成部２３１からの制御情報を空調機に送信する制御指令部２３２とを有する。コントローラ２１２は更に、記憶部において制御情報登録部２２５と優先度情報保持部２３６とを有する。
【００６３】
なお、入力端末２１１及びコントローラ２１２においては、各部における制御動作はＣＰＵ等によって行われ、上記各情報の格納はメモリによって行われる。コントローラ２１２のメモリに格納された所定のプログラムに従って空調制御処理が実行される。
【００６４】
入力端末２１１から入力された位置情報は、コントローラ２１２に送信される。上記第１実施形態と同様に、制御情報生成部２３１は送信された位置情報から制御情報を生成し、制御指令部２３２は制御情報に基づく制御指令を空調機に出す。同様に、操作においては制御情報登録部２３５から制御情報が参照され、選択された室内機ＡＣが他の利用者のために制御中であれば優先度情報保持部２３６より優先度情報が参照される。
【００６５】
このように、第２実施形態は、制御情報生成部２３１、制御情報登録部２３５及び優先度情報保持部２３６を遠隔にある管理会社側のサーバではなく利用者側に配されたコントローラ２１２によって保持し管理する点において第１実施形態と異なる。その他の構成、各部の機能及び処理動作については第１実施形態と同様であるため説明を省略する。
【００６６】
第２実施形態においては、ローカルな設備において局所空調の制御が可能であるため、アクセス操作や物件名の入力等の手間が省ける他、セキュリティやサーバの故障に対する耐性も向上する。
【００６７】
なお、コントローラ２１２の代わりにＬＡＮ２１０内に設置したサーバを利用してもよい。また、入力端末２１１とコントローラ２１２間は有線、無線のいずれであってもよい。
【００６８】
＜第２実施形態の変形例＞
図６は、上記第２実施形態に係る空調制御システム２０１の変形例を示す。ローカルネットワークにおいてサーバ等が利用できない場合であってコントローラにサーバと同等の機能や情報を持たせることが難しい場合、入力端末３１１（ここでは、携帯電話）側に制御情報生成部３３１を持たせる。
【００６９】
本変形例においては、まずコントローラ３１２から入力端末３１１に設定ツールのアプリケーションをダウンロードする。利用者は、ダウンロードした設定ツールの入力画面を介して上記実施形態と同様に位置情報を入力する。設定ツールの制御情報生成部３３１は、位置情報に対応した制御情報を生成し、制御情報をコントローラ３１２に送信し、制御指令部３３２からの制御指令により選択した室内機ＡＣを制御する。
【００７０】
制御情報登録部３３５及び優先度情報保持部３３６については、上記実施形態と同様の機能を有する。
【産業上の利用可能性】
【００７１】
本発明は、個々の利用者の要求に応じた室内機の制御情報を自動生成し、快適性及び操作性に優れた局所空調を実現することができるという効果を有し、空調制御システム、空調制御方法及び空調制御プログラムとして有用である。
【図面の簡単な説明】
【００７２】
【図１】本発明の第１実施形態に係る空調制御システムの全体的な構成図
【図２】本発明の第１実施形態における入力画面表示の一例を示す図
【図３Ａ】本発明の第１実施形態に係る空調制御システムの処理の流れの前半部を示すフローチャート。
【図３Ｂ】本発明の第１実施形態に係る空調制御システムの処理の流れの後半部を示すフローチャート。
【図４】本発明の第１実施形態に係る処理による室内機の動作状態を示す図
【図５】本発明の第２実施形態に係る空調制御システムの全体的な構成図
【図６】本発明の第２実施形態の変形例に係る空調制御システムの構成図
【符号の説明】
【００７３】
１，２０１，３０１    空調制御システム
１０，２１０，３１０  ＬＡＮ
１１，２１１，３１１  入力端末
１２，２１２，３１２  コントローラ
２０，２２０，３２０  サーバ
３１，２３１，３３１  制御情報生成部（制御情報生成手段）
３２，２３２，３３２  制御指令部（制御手段）
３５，２３５，３３５  制御情報登録部
３６，２３６，３３６  優先度情報保持部
５０                  インターネット
ＡＣ                  室内機
【図１】
2008116061.tif 000003
【図２】
2008116061.tif 000004
【図３Ａ】
2008116061.tif 000005
【図３Ｂ】
2008116061.tif 000006
【図４】
2008116061.tif 000007
【図５】
2008116061.tif 000008
【図６】
2008116061.tif 000009